【事件の表示】
　特願２０１１−　６９１５１「画像処理装置及び画像処理装置の制御プログラム」拒絶査定不服審判事件〔平成２３年１１月１０日出願公開、特開２０１１−２２４３５５、請求項の数（１０）〕について、次のとおり審決する。
【結　論】
　原査定を取り消す。
　本願の発明は、特許すべきものとする。
【理　由】
第１　手続の経緯
　本願は、平成２３年３月２８日（国内優先権主張、平成２２年３月３０日）の出願であって、平成２７年２月３日付けで拒絶査定（以下、「原査定」という。）されたところ、同年４月２８日に拒絶査定不服審判が請求されたものである。
　その後、当審において、平成２８年２月１６日付けで拒絶理由が通知され、同年４月２２日付けで意見書及び手続補正書が提出されたものである。
第２　本願発明
　本願の請求項１ないし１０に係る発明は、平成２８年４月２２日に提出された手続補正書により補正された特許請求の範囲の請求項１ないし１０に記載された事項により特定されるものと認められるところ、本願の請求項１に係る発明（以下、「本願発明１」という。）は、以下のとおりである。
「【請求項１】
　ＭＲＩ装置によって被検体の左右の乳房を含む３次元空間を撮像して得られた３次元画像データから、前記左右の乳房それぞれの２次元画像を生成し、生成した各２次元画像における胸壁部分が互いに向き合うように配置することで前記左右の乳房を対称に配置した対比用２次元画像を生成する生成手段と、
　前記対比用２次元画像を表示部に表示させる表示制御手段と
　を備え、
　前記被検体を載置するための寝台と、
　前記被検体からの磁気共鳴信号を受信し、前記寝台に設けられる受信ＲＦコイルと、
　前記受信ＲＦコイルによって受信された磁気共鳴信号に基づいて前記３次元画像データを再構成する再構成手段とを更に備え、
　前記生成手段は、前記寝台又は前記受信ＲＦコイルの位置に基づいて、前記胸壁の位置を認識することを特徴とする画像処理装置。」
第３　原査定の理由について
１　原査定の理由の概要
　本願の請求項１ないし１１に係る発明は、その優先日前に日本国内又は外国において頒布された下記の刊行物に記載された発明又は電気通信回線を通じて公衆に利用可能となった発明に基づいてその優先日前にその発明の属する技術の分野における通常の知識を有する者が容易に発明をすることができたものであるから、特許法第２９条第２項の規定により特許を受けることができない。
　　　　　　　　　　　　　　　　　記
引用文献１．国際公開第２００８／０３５４４４号
引用文献２．特表２００８−５０５７１２号公報
引用文献３．特開２００３−２６００４６号公報
引用文献４．特開２００９−２０７５６１号公報
引用文献５．特開２００７−１２５３６７号公報
引用文献６．特開２００８−　８６４００号公報
引用文献７．特開２００５−１２４６１７号公報
　引用文献１には、左右の各乳房の全領域を三次元的に撮像する超音波乳房撮像装置１０によって得られた画像データＡに基づいて、左右の各乳房全体のボクセルデータを作成する乳房ボクセルデータ作成装置２０と、この乳房ボクセルデータ作成装置２０により作成された左右の各乳房のボクセルデータに基づいて読影診断のための画像を表示する読影画像表示装置３０であって、左右の乳房の左右に対称な断面箇所の断面画像を、対称に隣接させて、且つ、乳房の一端側から他端側にかけて所定ピッチで、順次表示する読影画像表示装置３０とを備えている超音波乳房診断システム１００（段落［００３２］）において、読影画像表示装置３０が左右のボクセルデータに基づいて所定方向の断面画像を表示するための表示画像作成１３４及び断面画像読み取り１３５と、これにより作成された読影用表示画面が書込まれる表示メモリ１３６等を備えること（段落［００４２］）、サジタル画像又はアキシャル画像を供すること（段落［００４６］）が記載されている。
　引用文献１に記載された発明の読影画像表示装置は、３次元画像データから、左右の乳房それぞれの断層像を生成し、図４のように表示するものであるから、本願発明の生成手段および表示制御手段の機能を有するものである。
　引用文献１に記載された発明は、ＭＲＩ装置によって取得された左右の乳房を含むデータを用いていない。しかしながら、引用文献６や引用文献７に記載されているように、ＭＲＩを用いて乳房の画像を取得すること、Ｘ線投影画像と同様に表示を行うことは、周知技術である。また、ＭＲＩ撮像において、強調条件などが異なる複数種類の画像を取得することや、胸壁の位置にＲＦコイルを配置して撮像することも周知である。したがって、引用文献１に記載された発明において、超音波データの代わりにＭＲＩ装置によって得られたデータに基づき画像を生成することや、複数種類の画像を生成すること、胸壁に配置したＲＦコイルからの画像の位置関係に基づいて胸壁を認識することは、当業者が適宜なし得ることである。
２　原査定の理由の判断
（１）引用文献１の記載事項 
　引用文献１には、以下の記載がある（下線は当審において付加したものである。）。
ア　「請求の範囲 
 [1]　
乳房を垂下浸漬可能な水槽と、前記水槽の底部に機械的走査可能に配置された超音波プローブとを備え、超音波の送受信により左右の各乳房の全領域を三次元的に撮像する超音波乳房撮像装置
　
前記超音波乳房撮像装置によって得られた画像データに基づいて、左右の各乳房全体のボクセルデータを作成する乳房ボクセルデータ作成装置と
　
前記乳房ボクセルデータ作成装置により作成された左右の各乳房のボクセルデータに基づいて読影診断のための画像を表示する読影画像表示装置であって、左右の乳房の左右に対称な断面箇所の断面画像を、対称に隣接させて、且つ、乳房の一端側から他端側にかけて所定のピッチで、順次表示する読影画像表示装置とを備えることを特徴とする超音波乳房診断システム
イ　「 [2]　前記読影画像表示装置において表示される左右の乳房の断面画像は、サジタル画像とアキシャル画像とのいずれかからなり、
乳房の基部側を互いに付き合せて対称に隣接表示
ウ　「[0004]その典型的な一例は、例えば特許文献１に記載された
「水槽式 （水浴式）」と呼ばれる乳腺超音波撮像法であり、乳房を水槽中に垂下浸漬し、その下方に配置された超音波プローブを機械的走査して乳房全領域を撮像する方法である。
エ　「図１
」
オ　上記アに記載された水槽を用いた超音波乳房撮像装置は、上記ウ及びエを参照すると、「乳房を水槽中に垂下浸漬し、その下方に配置された超音波プローブを機械的走査して乳房全領域を撮像する」ものであって、うつ伏せに被検者が寝る必要があるから、上記撮像装置は、撮像を行う際には、被検者をうつ伏せに寝かせる寝台が存在することは自明なことである。
カ　かかる事項を上記ア及びイに加えて整理すると、引用文献１には、次のような発明（以下、引用発明１」という。）が記載されていると認められる。
「（ａ）　被検者をうつ伏せに寝かせる寝台と、
（ｂ）　乳房を垂下浸漬可能な水槽と、前記水槽の底部に機械的走査可能に配置された 超音波プローブとを備え、超音波の送受信により左右の各乳房の全領域を三次元的に撮像する超音波乳房撮像装置と、
（ｃ）　前記超音波乳房撮像装置によって得られた画像データに基づいて、左右の各乳房全体のボクセルデータを作成する乳房ボクセルデータ作成装置と、
（ｄ）　前記乳房ボクセルデータ作成装置により作成された左右の各乳房のボクセルデータに基づいて読影診断のための画像を表示する読影画像表示装置であって、左右の乳房の左右に対称な断面箇所の断面画像を、乳房の基部側を互いに付き合せて対称に隣接表示させて、且つ、
（ｅ）　乳房の一端側から他端側にかけて所定のピッチで、順次表示する読影画像表示装置とを備えることを特徴とする超音波乳房診断システム。」
（２）対比
　本願発明１と引用発明１を対比する。
ア　引用発明１の「被検者をうつ伏せに寝かせる寝台」は、本願発明１の「被検体を載置するための寝台」に相当する。
イ　引用発明１の「超音波の送受信により左右の各乳房の全領域を三次元的に撮像する」「超音波乳房撮像装置」「によって得られた画像データに基づいて」「作成された左右の各乳房全体のボクセルテータ」と、本願発明１の「ＭＲＩ装置によって被検体の左右の乳房を含む３次元空間を撮像して得られた３次元画像データ」とは、「被検体の左右の乳房を含む３次元空間を撮像して得られた３次元画像データ」である点で共通する。
ウ　引用発明１は「左右の各乳房のボクセルデータに基づいて読影診断のための画像を表示する」にあたって、「左右の乳房の左右に対称な断面箇所の断面画像」を採用しており、「断面画像」が２次元画像であることは明らかであり、また、左右の乳房の断面画像を生成していることから、本願発明１と引用発明１は、「被検体の左右の乳房を含む３次元空間を撮像して得られた３次元画像データから、前記左右の乳房それぞれの２次元画像を生成」する点で共通する。
エ　引用発明１において、「左右の乳房の左右に対称な断面箇所の断面画像を、乳房の基部側を互いに付き合せて対称に隣接表示させ」ることは、左右の乳房の２次元画像を対称に配置することであり、左右の対比用の画像を生成していることは明らかであるから、本願発明１と引用発明１は、「生成した各２次元画像」「が互いに向き合うように配置することで前記左右の乳房を対称に配置した対比用２次元画像を生成する」点で共通するとともに、その「生成手段」を備える点でも共通する。
オ　引用発明１の「読影画像表示装置」は、「読影診断のための画像」を表示するためのものであるから、本願発明１の「対比用２次元画像」の「表示部」に相当する。そして、引用発明１の「読影診断のための画像を表示する読影画像表示装置」が、何らかの表示制御手段を備えることは、当業者にとって明らかであるから、本願発明１と引用発明１は、「対比用２次元画像を表示部に表示させる表示制御手段」を備える点で一致する。
カ　引用発明１の「超音波乳房診断システム」が「画像処理」を行うことは明らかである。
　よって、本願発明１と引用発明１は、「画像処理装置」の発明である点で一致する。
キ　以上のことから、本願発明１と引用発明１は、以下の点で一致する。
「被検体の左右の乳房を含む３次元空間を撮像して得られた３次元画像データから、前記左右の乳房それぞれの２次元画像を生成し、生成した各２次元画像が互いに向き合うように配置することで前記左右の乳房を対称に配置した対比用２次元画像を生成する生成手段と、
　前記対比用２次元画像を表示部に表示させる表示制御手段と
　を備え、
　前記被検体を載置するための寝台と
を更に備える画像処理装置。」
　そして、両者は以下の点で相違する。
＜相違点＞
　３次元画像データが、本願発明１は、ＭＲＩ装置によって得られたものであり、それゆえに、被検体からの磁気共鳴信号を受信し、寝台に設けられる受信ＲＦコイル、及び、前記受信ＲＦコイルによって受信された磁気共鳴信号に基づいて前記３次元画像データを再構成する再構成手段とを更に備え、対比用２次元画像を生成するにあたって、各２次元画像における胸壁部分が互いに向き合うように配置するための胸壁の位置を、寝台又は受信ＲＦコイルの位置に基づいて、認識するように構成されているのに対して、引用発明１は、超音波乳房撮像装置によって得られたものであることから、受信ＲＦコイル、及び、前記受信ＲＦコイルによって受信された磁気共鳴信号に基づいて前記３次元画像データを再構成する再構成手段を有しておらず、上記のように構成されていない点。
（３）判断
　上記相違点について、以下に検討する。 
　ＭＲＩ装置を用いて乳房の画像を取得することは、例えば引用文献６や引用文献７に記載されているように、本願優先日前に周知の技術であるが、寝台又は受信ＲＦコイルの位置に基づいて、胸壁の位置を認識する点については、原査定において示した何れの文献にも記載されていない。
　また、上記の点が、当業者であれば、適宜なし得る設計的事項であることを示す客観的根拠も見出せない。
　したがって、相違点に係る構成は、引用発明１及び引用文献２ないし７に記載された事項に基づいて、当業者が容易に想到し得るものとはいえない。
（４）小括
　したがって、本願発明１は、当業者が、引用発明１及び引用文献２ないし７に記載された事項に基づいて、当業者が容易に発明をすることができたものとはいえない。 
　また、本願の請求項２ないし９に係る発明は、本願発明１の発明特定事項をすべて含み、本願発明１をさらに限定したものであるので、本願発明１と同様に、引用発明１及び引用文献２ないし７に記載された事項に基づいて、当業者が容易に発明をすることができたものとはいえない。
　さらに、請求項１０に係る発明は、「画像処理装置」の発明である本願発明１のカテゴリーを「画像処理プログラム」に変更したものに過ぎない。したがって、請求項１０に係る発明は、本願発明１と同様の理由により、引用発明１及び引用文献２ないし７に記載された事項に基づいて、当業者が容易に発明をすることができたとはいえない。 
　よって、原査定の理由によっては、本願を拒絶することはできない。
第４　当審の平成２８年２月１６日付け拒絶理由の概要
　当審の平成２８年２月１６日付け拒絶理由の概略は、次のとおりである。
　本願の請求項１ないし８、１０、１１に係る発明は、その優先日前に日本国内又は外国において頒布された刊行物である特開２００８−８６４００号公報（以下、「引用文献Ａ」という。上記「引用文献６」に相当する。）に記載された発明に基づいて、また、本願の請求項９に係る発明は、引用文献Ａ及び国際公開第２００９／１５０５６６号（以下、「引用文献Ｂ」という。）に記載された発明に基いて、その優先日前にその発明の属する技術の分野における通常の知識を有する者が容易に発明をすることができたものであるから、特許法第２９条第２項の規定により特許を受けることができない。
第５　当審の判断
１　引用文献Ａに記載された事項 
　引用文献Ａには、以下の記載がある（下線は当審において付加したものである。）。
ア　【請求項１】 
「乳房を垂下浸漬可能な水槽と、前記水槽の底部に機械的走査可能に配置された超音波プローブとを備え、超音波の送受信により乳房全領域を三次元的に撮像する超音波乳房撮像装置と、 
　前記超音波乳房撮像装置によって得られた画像データに基づいて、乳房全体の乳房超音波ボクセルデータを作成する乳房超音波ボクセルデータ作成装置と、 
　
垂下された乳房を収容する乳房専用コイルを備え、核磁気共鳴信号により乳房全領域を三次元的に撮像する乳房ＭＲＩ装置と、
　
前記乳房ＭＲＩ装置によって得られた画像データに基づいて、乳房全体の乳房ＭＲＩボクセルデータを作成する乳房ＭＲＩボクセルデータ作成装置と、
　前記乳房超音波ボクセルデータと前記乳房ＭＲＩボクセルデータとに基づいて、一方の乳房の三次元形状を他方の乳房の三次元形状に一致するように非剛体変形してそれらの三次元形状を合わせる乳房三次元形状合わせ処理装置と、 
　前記乳房三次元形状合わせ処理装置によって処理された前記乳房超音波ボクセルデータと
前記乳房ＭＲＩボクセルデータとに基づいて、乳房の
任意の断面個所の
ＭＲＩ断面画像
を
表示する読影画像表示装置
を備える
乳房画像診断システム
【請求項２】 
　前記読影画像表示装置において、前記乳房の対応する任意の断面個所の超音波断面画像とＭＲＩ断面画像とは並列して表示されることを特徴とする請求項１に記載の乳房画像診断システム。」 
イ　【００２５】
「　本実施形態の乳房画像診断システム１００は、図１に示すように、乳房を垂下浸漬可能な水槽１１と、この水槽１１の底部に機械的走査可能に配置された超音波プローブ１２とを備え、超音波の送受信により乳房全領域を三次元的に撮像する超音波乳房撮像装置１０と、この超音波乳房撮像装置１０によって得られた画像データＡに基づいて、乳房全体の乳房超音波ボクセルデータＢを作成する乳房超音波ボクセルデータ作成装置２０と、
垂下された乳房を収容する乳房専用コイル
を備え、核磁気共鳴信号により乳房全領域を三次元的に撮像する乳房ＭＲＩ装置
と、この乳房ＭＲＩ装置
によって得られた画像データ
に基づいて、乳房全体の乳房ＭＲＩボクセルデータＤを作成する乳房ＭＲＩボクセルデータ作成装置
ウ　図１
「
」
エ　【００３４】 
「　
乳房ＭＲＩ装置３０
乳房専用コイル３１
寝台
オ　【００３５】 
「　
この乳房ＭＲＩ装置
によって乳房の全体は多くの断層像（スライス画像）として撮像され
、その画像データに基づいて乳房全体の単一の三次元データであるボクセルデータを作成する乳房ＭＲＩボクセルデータ作成装置
は、
その乳房ＭＲＩ装置
に一体化されて備えられ
乳房ＭＲＩ装置
による乳房の撮像は、
左右の乳房を共に含む胸部全体についてなされ
この乳房ＭＲＩボクセルデータ作成装置
は左右の乳房を各々別に分ける処理を含む
カ　上記ウに摘示した図１において、乳房専用コイルの上方の左右に板状の部材が示されており、上記エを参照すると、当該部材は寝台であると認められる。また、寝台が乳房を挿入する開口を備えていると認められる。
　上記アないしカの記載を含む、引用文献Ａ全体の記載を総合すると、引用文献Ａには、 
 「垂下された乳房を収容する乳房専用コイルを備え、核磁気共鳴信号により乳房全領域を三次元的に撮像する乳房ＭＲＩ装置と、 
　前記乳房ＭＲＩ装置によって得られた画像データに基づいて、乳房全体の乳房ＭＲＩボクセルデータを作成する乳房ＭＲＩボクセルデータ作成装置と、 
　前記乳房ＭＲＩボクセルデータに基づいて、乳房の任意の断面個所のＭＲＩ断面画像を表示する読影画像表示装置と、
　前記乳房専用コイルの上方に設けられた、乳房を挿入する開口を備えた寝台と、
を備え、 
　この乳房ＭＲＩ装置によって乳房の全体は多くの断層像（スライス画像）として撮像され、
　その画像データに基づいて乳房全体の単一の三次元データであるボクセルデータを作成する乳房ＭＲＩボクセルデータ作成装置は、その乳房ＭＲＩ装置に一体化されて備えられ、
　乳房ＭＲＩ装置による乳房の撮像は、左右の乳房を共に含む胸部全体についてなされ、
　この乳房ＭＲＩボクセルデータ作成装置は左右の乳房を各々別に分ける処理を含む
乳房画像診断システム。」 
の発明（以下、「引用発明Ａ」という。）が開示されていると認められる。 
２　請求項１について 
  
（１）　対比 
　本願発明１と、引用発明Ａを対比する。
ア（ア）　引用発明Ａの「乳房」が、「被検体」の「乳房」であることは明らかである。
（イ）　引用発明Ａの「乳房ＭＲＩ装置」は、「核磁気共鳴信号により乳房全領域を三次元的に撮像する」ものであるから、本願発明１の「被検体の左右の乳房を含む３次元空間を撮像」する「ＭＲＩ装置」に相当する。
（ウ）　引用発明Ａの「乳房全体の乳房ＭＲＩボクセルデータ」は、「三次元データ」であるから、本願発明１の「被検体の左右の乳房を含む３次元空間を撮像して得られた３次元画像データ」に相当する。
（エ）　引用発明Ａの「乳房ＭＲＩボクセルデータ作成装置」は、「左右の乳房を各々別に分ける処理を含む」ものであり、また、「前記乳房全体の乳房ＭＲＩボクセルデータに基づいて、乳房の任意の断面個所のＭＲＩ画像」が「表示」されることから、「乳房の任意の断面個所のＭＲＩ画像」が生成されることは明らかであり、また、「断面個所のＭＲＩ画像」は２次元画像であることから、本願発明１と引用発明Ａは、３次元画像データから、左右の乳房それぞれの２次元画像を生成する点で一致する。
（オ）　引用発明Ａの「読影画像表示装置」が、何らかの表示制御手段を備えることは、当業者にとって明らかであるから、本願発明１と引用発明Ａは、「画像を表示部に表示させる表示制御手段」を備える点で一致する。
（カ）　よって、本願発明１と引用発明Ａは、「ＭＲＩ装置によって被検体の左右の乳房を含む３次元空間を撮像して得られた３次元画像データから、前記左右の乳房それぞれの２次元画像を生成する生成手段と、前記２次元画像を表示部に表示させる表示制御手段とを備え」る点で一致する。
イ（ア）　引用発明Ａにおいて、「乳房専用コイルの上方に設けられた、乳房を挿入する開口を備えた寝台」は、本願発明１の「被検体を載置するための寝台」に相当する。
（イ）　引用発明Ａにおける「乳房専用コイル」が、乳房からの核磁気共鳴信号を検出するものであることは明らかであるから、引用発明Ａにおける「乳房専用コイル」は、本願発明１の「被検体からの磁気共鳴信号を受信」する「受信ＲＦコイル」に相当し、また、引用発明Ａにおいて、「乳房を挿入する開口」と「乳房専用コイル」との位置が固定されていることは明らかであるから、「乳房専用コイル」は「乳房を挿入する開口を備えた寝台」に設けられたものと認められる。
（ウ）　引用発明Ａにおける「乳房ＭＲＩボクセルデータ作成装置」は、「乳房ＭＲＩ装置によって乳房の全体は多くの断層像（スライス画像）として撮像され」た「画像データ」から、「三次元データであるボクセルデータを作成する」ものであるから、３次元画像データを再構成する再構成手段を備えていることは、当業者にとって明らかである。
（エ）　よって、本願発明１と引用発明Ａは、「前記被検体を載置するための寝台と、前記被検体からの磁気共鳴信号を受信し、前記寝台に設けられる受信ＲＦコイルと、前記受信ＲＦコイルによって受信された磁気共鳴信号に基づいて前記３次元画像データを再構成する再構成手段とを更に備え」る点で一致する。
ウ　引用発明Ａの「乳房画像診断システム」が「画像処理」を行うことは明らかである。
　よって、本願発明１と引用発明Ａは、「画像処理装置」の発明である点で一致する。
エ　以上のことから、本願発明１と引用発明Ａは、以下の点で一致する。
「　ＭＲＩ装置によって被検体の左右の乳房を含む３次元空間を撮像して得られた３次元画像データから、前記左右の乳房それぞれの２次元画像を生成する生成手段と、
　前記２次元画像を表示部に表示させる表示制御手段と
を備え、
　前記被検体を載置するための寝台と、
　前記被検体からの磁気共鳴信号を受信し、前記寝台に設けられる受信ＲＦコイルと、
　前記受信ＲＦコイルによって受信された磁気共鳴信号に基づいて前記３次元画像データを再構成する再構成手段とを更に備える
画像処理装置。」
　そして、両者は以下の点で相違する。 
  
＜相違点＞ 
　生成手段が、本願発明１では、生成した各２次元画像における胸壁部分が互いに向き合うように配置することで前記左右の乳房を対称に配置した対比用２次元画像を生成するものであり、寝台又は受信ＲＦコイルの位置に基づいて、前記胸壁の位置を認識するのに対して、引用発明Ａでは、そのように配置した対比用２次元画像を生成していない点。
（２）　判断 
　上記の相違点について、以下に検討する。 
　本願の優先日前に頒布された国際公開第２００８／０３５４４４号（上記引用文献１に相当する。）の段落【０００７】には、背景技術の説明として、「すでに実用化もなされていることであるが、Ｘ線マンモグラフィによる画像診断において右側と左側の乳房の各画像（透過像）を「背中合わせ」にして、すなわち乳房基底部側を互いに付き合わせて左右対称に隣接して表示する技術に関して開示されている。」との記載がある。 
　また、本願の優先日前に頒布された特開２０００−２８７９５７号公報の段落【００７１】、【０１０８】、【０１１１】、図３、図５の記載、同特開２００６−４３１８７号公報の段落【０００３】、【００２８】、図６の記載、同特開２００６−５５４１９号公報の段落【０００３】、【００１８】、図６の記載を参照すると、医師による比較読影を容易とするために、左右の乳房画像を並べて表示することが周知の技術である旨が記載されており、また、乳房画像を生成するためのモダリティとしてＭＲＩが示唆されている。 
　したがって、前記生成手段が、左右の乳房それぞれの画像を生成し、生成した各断層像における胸壁部分が互いに向き合うように配置することは、本願優先日前周知の事項であり、また、乳房画像を生成するためのモダリティとしてＭＲＩが示唆されている以上、引用発明Ａに、医師等による比較読影を容易とするという動機付けのもと、上記周知の事項を採用し、左右の乳房を対称に配置した対比用２次元画像を生成することは、当業者が容易に想到し得る程度のことといえる。
　しかしながら、上記対比用２次元画像の生成にあたって、「寝台又は受信ＲＦコイルの位置に基づいて」胸部の位置を認識する点については、本願優先日前周知の事項を示すために提示した何れの文献にも記載されていない。
　そして、上記の点が、当業者であれば、適宜なし得る設計的事項であることを示す客観的根拠も見出せない。
　したがって、上記相違点に係る構成は、引用発明Ａに基づいて、当業者が容易に想到しうるものとはいえない。
（３）　小括 
　よって、本願発明１は、引用発明Ａ、及び、本願優先日前周知の事項に基づいて、当業者が容易に発明をすることができたものとはいえなくなった。
３　請求項２ないし９について 
  
　本願の請求項２ないし９に係る発明は、本願発明１の発明特定事項をすべて含み、本願発明１をさらに限定したものであるので、本願発明１と同様に、当業者が引用発明Ａ、及び、本願優先日前周知の事項に基づいて、当業者が容易に発明をすることができたものとはいえなくなった。 
  
４　請求項１０について
　請求項１０に係る発明は、「画像処理装置」の発明である請求項１に係る発明のカテゴリーを「画像処理プログラム」に変更したものに過ぎない。 
　したがって、請求項１０に係る発明は、請求項１に係る発明と同様の理由により、引用発明Ａ、及び、本願優先日前周知の事項に基づいて、当業者が容易に発明をすることができたものとはいえなくなった。 
５　小括
　以上のとおり、本願の請求項１ないし１０に係る発明は、当業者が引用発明Ａ、及び、本願優先日前周知の事項に基づいて容易に発明をすることができたものとはいえなくなったから、もはや、当審の拒絶理由によっては本願を拒絶することはできない。
第６　むすび
　以上のとおり、原査定の理由、及び、当審の拒絶理由によっては、本願を拒絶することはできない。
　また、他に本願を拒絶すべき理由を発見しない。
　よって、結論のとおり審決する。